(57)【特許請求の範囲】
【請求項１】
カセットシェル内に、所定の情報が記録された又は記録されるメモリーチップが一の側面に実装されたメモリー基板を備えたテープカセットであって、
該メモリー基板はほぼ矩形を呈するとともに、該メモリー基板の外形に沿うほぼ矩形の渦巻き状をした回路パターン（以下、「アンテナパターン」という。）が該メモリー基板の一の側面及び他の側面にそれぞれ１つ形成されており、
該アンテナパターンの各線分パターンが、上下及び左右においてメモリー基板の中心線に対してほぼ線対称の関係に形成され、
上記メモリー基板の一の角部には上記メモリー基板の一の側面及び他の側面の上記アンテナパターンを接続可能にするスルーホールが設けられ、
上記スルーホールが設けられた角部にあるアンテナパターンの角部は上記スルーホールを避けるように内側に折り曲げられ、
上記メモリー基板の面方向に対して直交する軸回り方向に１８０°回転した状態でも上記カセットシェルに２方向から組付可能にした
ことを特徴とするテープカセット。
【請求項２】
カセットシェル内に、所定の情報が記録された又は記録されるメモリーチップが一の側面に実装されたメモリー基板を備えたテープカセットであって、
該メモリー基板はほぼ正方形を呈するとともに、該メモリー基板の外形に沿うほぼ正方形の渦巻き状をした回路パターン（以下、「アンテナパターン」という。）が該メモリー基板の一の側面及び他の側面にそれぞれ１つ形成されており、
該アンテナパターンの各線分パターンが、上下及び左右においてメモリー基板の中心に対してほぼ点対称の関係に形成され、
上記メモリー基板の一の角部には上記メモリー基板の一の側面及び他の側面の上記アンテナパターンを接続可能にするスルーホールが設けられ、
上記スルーホールが設けられた角部にあるアンテナパターンの角部は上記スルーホールを避けるように内側に折り曲げられ、
上記メモリー基板の面方向に対して直交する軸回り方向に９０°回転した状態でも上記カセットシェルに４方向から組付可能にした
ことを特徴とするテープカセット。
【発明の詳細な説明】
【０００１】
【発明の属する技術分野】
本発明はテープカセットに関する。詳しくは、上シェルと下シェルとが結合されて成るカセットシェルの内部に所定の情報が記録された又は記録されるメモリーチップが内蔵されたテープカセットに関し、テープカセットの組み立て作業性を良好にする技術に関する。
【０００２】
【従来の技術】
テープカセットは、通常、テープ状記録媒体、例えば、磁気テープを巻装したテープリールをカセットシェル内において回転自在に支持して成る。
【０００３】
かかるテープカセットには、磁気テープの記録内容等に関する情報や磁気テープの種別などの情報が記録された又は記録されるメモリーチップを設けたものがある。
【０００４】
このようなメモリーチップへの情報の記録及び読取は、テープドライブ装置側と非接触で行われるため、テープカセット側にはカセット側アンテナが、また、テープドライブ装置側には機器側アンテナがそれぞれ設けられている。
【０００５】
カセット側アンテナは、上記メモリーチップを搭載したメモリー基板に渦巻き状のアンテナパターンを形成することにより構成され、また、機器側アンテナも同様に、機器側基板に上記カセット側アンテナのアンテナパターンに対応した形状の渦巻き状のアンテナパターンを形成することにより構成されている。
【０００６】
また、基板は通常、矩形に形成されるため、上記アンテナパターンも矩形の渦巻き状に形成されるのが一般的である。
【０００７】
【発明が解決しようとする課題】
ところで、メモリー基板が矩形状であるため、メモリー基板の面方向に対して直交する軸回り方向に１８０°回転させても、メモリー基板をカセットシェルに組み付けることができてしまい、所定の向きでない向きで取り付けられてしまうことがある。
【０００８】
このように向きを誤って組み付けられたメモリー基板のアンテナパターンが、上下又は左右においてメモリー基板の中心線に対して線対称でない場合、各線分パターンが上下方向又は左右方向でずれた位置になってしまい、機器側のアンテナパターンの線分パターンと対向しなくなってしまうという問題がある。
【０００９】
すなわち、アンテナによる非接触でのデータの受け渡しにおいては、カセット側のアンテナパターンと機器側のアンテナパターンとが、近接配置されることもさることながら、各線分パターンごとに精度良く対応した位置になるようにすることが必要である。
【００１０】
特に、テープドライブ装置およびカセットテープが小型化されると、上述のような両アンテナパターン間のずれは、通信効率を悪化させ、通信不能になってしまう。
【００１１】
しかも、カセットテープの小型化に際し、メモリー基板も小型化される傾向にあり、かかる小型化されたメモリー基板はカセットシェルへの組み付けにおいてその向きを誤りやすいという問題がある。
【００１２】
そして、メモリー基板の向きを誤ってカセットシェルに組み付けると、テープドライブ装置側のアンテナとの位置関係にずれが生じ、通信不良や誤動作を生ずる。
【００１３】
そのため、従来は、メモリー基板をカセットシェルに対してその向きを誤って組み付けてしまうと致命的な不良品となってしまい、したがって、組み付け時にその向きを誤らないように注意を払わなければならず、テープカセットの組み立て作業性が悪いという問題があった。
【００１４】
そこで、本発明テープカセットは、メモリー基板のカセットシェルに対する組み付けの方向性を２方向とすることで、メモリー基板の組み付けの向きを上下左右において異ならせても、上記テープドライブ装置側との通信において支障を来すことのないようにし、テープカセットの組み立て作業性を良好にすることを課題とする。
【００１５】
【課題を解決するための手段】
本発明テープカセットは、上記した課題を解決するために、カセットシェル内に、所定の情報が記録された又は記録されるメモリーチップが一の側面に実装されたメモリー基板を備えたテープカセットであって、該メモリー基板はほぼ矩形を呈するとともに、該メモリー基板の外形に沿うほぼ矩形の渦巻き状をした回路パターン（以下、「アンテナパターン」という。）が該メモリー基板の一の側面及び他の側面にそれぞれ１つ形成されており、該アンテナパターンの各線分パターンが、上下及び左右においてメモリー基板の中心線に対してほぼ線対称の関係に形成され、上記メモリー基板の一の角部には上記メモリー基板の一の側面及び他の側面の上記アンテナパターンを接続可能にするスルーホールが設けられ、上記スルーホールが設けられた角部にあるアンテナパターンの角部は上記スルーホールを避けるように内側に折り曲げられ、上記メモリー基板の面方向に対して直交する軸回り方向に１８０°回転した状態でも上記カセットシェルに２方向から組付可能にしたものである。
【００１６】
したがって、本発明テープカセットにあっては、アンテナパターンの各線分パターンを、上下及び左右においてメモリー基板の中心線に対してほぼ線対称の関係に形成したため、２方向からの組付を可能とし、面方向に対して直交する軸回り方向に１８０°回転した状態で組み付けられても、装置側のアンテナパターンの各線分パターンと各別に対向させることができ、通信効率が劣化することはなく、よって、メモリー基板のカセットシェル内への取付作業性を良好にすることができる。特に、組み立て作業性が悪化する小型化のテープカセットの組み立てに貢献する。
【００１７】
また、別の本発明テープカセットは、カセットシェル内に、所定の情報が記録された又は記録されるメモリーチップが一の側面に実装されたメモリー基板を備えたテープカセットであって、該メモリー基板はほぼ正方形を呈するとともに、該メモリー基板の外形に沿うほぼ正方形の渦巻き状をした回路パターン（以下、「アンテナパターン」という。）が該メモリー基板の一の側面及び他の側面にそれぞれ１つ形成されており、該アンテナパターンの各線分パターンが、上下及び左右においてメモリー基板の中心に対してほぼ点対称の関係に形成され、上記メモリー基板の一の角部には上記メモリー基板の一の側面及び他の側面の上記アンテナパターンを接続可能にするスルーホールが設けられ、上記スルーホールが設けられた角部にあるアンテナパターンの角部は上記スルーホールを避けるように内側に折り曲げられ、上記メモリー基板の面方向に対して直交する軸回り方向に９０°回転した状態でも上記カセットシェルに４方向から組付可能にしたものである。
【００１８】
したがって、本発明テープカセットにあっては、アンテナパターンの各線分パターンを、上下及び左右においてメモリー基板の中心に対してほぼ点対称の関係に形成したため、４方向からの組付を可能とし、面方向に対して直交する軸回り方向に９０°回転した状態で組み付けられても、装置側のアンテナパターンの各線分パターンと各別に対向させることができ、通信効率が劣化することはなく、よって、メモリー基板のカセットシェル内への取付作業性をさらに良好にすることができる。特に、組み立て作業性が悪化する小型化のテープカセットの組み立てに貢献する。
【００１９】
【発明の実施の形態】
以下に、本発明テープカセットの実施の形態について添付図面を参照して説明する。
【００２０】
図１乃至図５は、本発明テープカセットの実施の形態（以下、「第１の実施の形態」という。）にかかるもので、請求項１に記載したものに相当する。
【００２１】
テープカセット１は、薄い箱状をしたカセットシェル２内にテープ状記録媒体である磁気テープ３を巻装した１対のテープリール４、４が左右に離間して回転可能に収納され、また、カセットシェル２の背面の内側には、所定の情報が記録された又は記録されるカセット内メモリー（ＭＩＣ：Ｍｅｍｏｒｙ  ｉｎ  ｃａｓｓｅｔｔｅ）５が配設されている。なお、各図において矢印で示す、Ｕ方向、Ｄ方向、Ｌ方向、Ｒ方向、Ｆ方向、Ｂ方向は、それぞれ、上方、下方、左方、右方、前方、後方を意味するものとする。
【００２２】
カセットシェル２の前端部には、該カセットシェル２の前面に沿って位置する磁気テープ３の前面側を覆うフロントリッド６が回動自在に支持されている（図１参照）。そして、カセットシェル２には磁気テープ３の後側を覆うバックリッド７が支持され、該バックリッド７はカセットシェル２に前後方向に移動自在に支持されたスライダー８に一体に形成されている（図１参照）。
【００２３】
カセットシェル２は薄い箱状を為し、上シェル９と下シェル１０とが上下で結合されて成り、カセットシェル２の前部にはマウス部と称される大きな凹部１１が形成されている。該マウス部１１は前方並びに上方及び下方に開口されている。そして、磁気テープ３の一部が上記マウス部１１の前面に沿って位置している。
【００２４】
上記ＭＩＣ５は、メモリー基板１２の内側面のほぼ中央部に実装されたメモリーチップにより構成され、上記メモリー基板１２が上記カセットシェル２の背面内側であって左端寄り位置に組み付けられている。
【００２５】
メモリー基板１２はやや横長な矩形状を呈し（縦長さａ＜横長さｂ）、その内側面１２ｉに上記ＭＩＣ５および他の電子部品１３、１３が実装され、また、内側面１２ｉおよび外側面１２ｏにはアンテナパターンが形成されている。
【００２６】
すなわち、メモリー基板１２の内側面１２ｉ及び外側面１２ｏにはメモリー基板１２の外形に沿うほぼ矩形の渦巻き状のアンテナパターン１４、１４がそれぞれ形成されているとともに、これら内側面１２ｉ及び外側面１２ｏのアンテナパターン１４、１４がスルーホール１５を介して接続され、これにより、カセット側アンテナ１６が構成されており、該カセット側アンテナ１６が上記ＭＩＣ５や電子部品１３、１３と接続されている。
【００２７】
そして、アンテナパターン１４の各線分パターン１４ｕ、１４ｕ、・・・、１４ｄ、１４ｄ、・・・、１４ｌ、１４ｌ、・・・、１４ｒ、１４ｒ、・・・は、その幅寸法（ｗ）は一定であり、また、線分パターン間１４ｕ、１４ｄ、１４ｌ、１４ｒのピッチ（ｃ）も一定に形成されている。
【００２８】
また、各線分パターン１４ｕ、１４ｕ、・・・、１４ｄ、１４ｄ、・・・、１４ｌ、１４ｌ、・・・、１４ｒ、１４ｒ、・・・のうち、最も外周側に位置する各線分パターン１４ｕ１、１４ｄ１、１４ｌ１、１４ｒ１とこれらに対応するメモリー基板１２の各側辺１２ｕ、１２ｄ、１２ｌ、１２ｒとの間の間隔（ｄ）は、同一面（内側面１２ｉ又は外側面１２ｏ）上においては同じに形成されている。
【００２９】
そして、最も外周側に位置する各線分パターン１４ｕ１、１４ｄ１、１４ｌ１、１４ｒ１とこれらに対応するメモリー基板１２の各側辺１２ｕ、１２ｄ、１２ｌ、１２ｒとの間の間隔（ｄ）は、メモリー基板１２の内側面１２ｉ側と外側面１２ｏ側とでは相違しており、外側面１２ｏ側の方がやや大きく形成されている。
【００３０】
具体的には、たとえば、メモリー基板１２の縦長さ（上下寸法）がａ＝６．５ｍｍ、横長さ（左右寸法）がｂ＝７．５ｍｍ、線分パターンの幅寸法ｗ＝０．０８ｍｍ、線分パターンのピッチｃ＝０．２ｍｍで、メモリー基板１２の内側面１２ｉの側辺１２ｉｕ、１２ｉｄ、１２ｉｌ、１２ｉｒと線分パターン１４ｉｕ１、１４ｉｄ１、１４ｉｌ１、１４ｉｒ１との間の間隔ｄｉ＝０．１ｍｍ、メモリー基板１２の外側面１２ｏの側辺１２ｏｕ、１２ｏｄ、１２ｏｌ、１２ｏｒと線分パターン１４ｏｕ１、１４ｏｄ１、１４ｏｌ１、１４ｏｒ１との間の間隔ｄｏ＝０．３ｍｍに形成されている。
【００３１】
したがって、アンテナパターン１４の各線分パターン１４ｕ１、１４ｄ１、１４ｌ１、１４ｒ１は、上下及び左右においてメモリー基板１２の中心線ＣＬｈ、ＣＬｖに対して線対称の関係に形成されている。
【００３２】
これにより、メモリー基板１２をその面方向に直交する軸回り方向に１８０°回転させても、上下、左右においてメモリー基板１２の中心Ｏと各線分パターン１４ｕ、１４ｄ、１４ｌ、１４ｒとの位置関係が変わらず、よって、２方向（下側辺１２ｄおよび上側辺１２ｕ）からの組み付けを可能とし、いずれかの方向から組み付けられたメモリー基板１２であっても、各線分パターン１４ｕ１、１４ｄ１、１４ｌ１、１４ｒ１の位置関係が変わることはない。
【００３３】
一方、テープドライブ装置１００には、上記テープカセット１が装填されたときにそのメモリー基板１２に対向する位置にアンテナ基板１０１が配設され、該アンテナ基板１０１の両面にそれぞれアンテナパターン１０２、１０２が形成されて機器側アンテナ１０３が構成されており、該アンテナパターン１０２、１０２は上記カセット側アンテナ１６のアンテナパターン１４、１４とほぼ同一形状にそれぞれ形成されている（図６、図７参照）。
【００３４】
また、テープカセット１がテープドライブ装置１００に装填されたとき、該テープドライブ装置１の所定の位置に装填されるようになっており、メモリー基板１２とアンテナ基板１０１とは精度良く対向するようになっている。
【００３５】
したがって、上記メモリー基板１２をその面方向に直交する軸回り方向に１８０°回転させた向きでカセットシェル２に組み付けても、メモリー基板１２の各線分パターン１４ｕ、１４ｄ、１４ｌ、１４ｒは、機器側アンテナ１０３の各線分パターン１０２ｕ、１０２ｄ、１０２ｌ、１０２ｒと１対１で各別に対応するため、メモリー基板１２の向きを変えてもその通信効率が変わることはない。
【００３６】
このことは、メモリー基板１２のカセットシェル２に対する組み付け方向性を２方向にすることができることであり、メモリー基板１２のカセットシェル２への組み付け作業性を容易にする。
【００３７】
なお、テープドライブ装置１００側のアンテナ基板１０１の大きさは上記メモリー基板１２の大きさとは同じ必要はなく、機器側アンテナ１０３の各線分パターン１０２ｕ、１０２ｄ、１０２ｌ、１０２ｒとカセット側アンテナ１６の各線分パターン１４ｕ、１４ｄ、１４ｌ、１４ｒとがほぼ同じ関係になっていれば良い。
【００３８】
次に、ＭＩＣ５とテープドライブ装置１００側との通信について簡単に説明する。
【００３９】
上記ＭＩＣ５は電波を受信後、制御処理を行う受動的な装置であり、電源を有しないいわゆる電池レスで構成される。そのため、電磁誘導により電力を得る電源回路、制御回路、メモリー等を備える。
【００４０】
これに対応して、テープドライブ装置１００に設けられ、カセット側アンテナ１６を介してＭＩＣ５と通信をするための機器側アンテナ１０３は、アンテナ基板１０１の両面に渦巻き状のアンテナパターン１０２、１０２が形成され、これらアンテナパターン１０２、１０２がスルーホール１０４によって接続されると共に、一方のアンテナパターン１０２は直接に、また、他方のアンテナパターン１０２は別のスルーホール１０５を介して端子１０６、１０６に各別に接続されて成る。
【００４１】
機器側アンテナ１０３が形成されたアンテナ基板１０１のアンテナパターン１０２、１０２は上記カセット側アンテナ１６のアンテナパターン１４、１４とほぼ同一に形成されており、各線分パターン１０２ｕ、１０２ｄ、１０２ｌ、１０２ｒは上記カセット側アンテナ１６のアンテナパターン１４の各線分パターン１４ｕ、１４ｄ、１４ｌ、１４ｒと１対１で対応している。
【００４２】
そして、テープドライブ装置１００は、上記機器側アンテナ１０３及びカセット側アンテナ１６を介してＭＩＣ５に対する情報の記録及び読取を行うための通信回路２００を有し、該通信回路２００は、変復調アンテナドライバー２０１、ロジックＩＣ部２０２及び制御マイコン部２０３を備える（図８参照）。
【００４３】
変復調アンテナドライバー２０１は、機器側アンテナ１０３を制御し、ＭＩＣ５に記憶された情報を読み書きする。すなわち、機器側アンテナ１０３に供給する信号の変調、増幅及び機器側アンテナ１０３から得た信号の復調等を行う。
【００４４】
ロジックＩＣ部２０２は、変復調アンテナドライバー２０１で読み出されたデータを変復調して符号変換し、制御マイコン部２０３と通信を行う。すなわち、変復調アンテナドライバー２０１に送る信号の符号化、変復調アンテナドライバー２０１から受領した信号の復号化乃至ＣＲＣ等のデータ処理を行う。
【００４５】
制御マイコン部２０３は、例えばマイクロコンピュータで構成され、上記通信の制御及びテープドライブ装置１００の動作並びに表示等の全般の制御を行う。すなわち、ユーザーの操作を受け付け、テープドライブ装置１００のメカデッキ部の制御、信号制御、ＬＣＤ表示パネル２０４に必要は情報の表示などの処理を行う。
【００４６】
このような通信回路２００によって、ＭＩＣ５に対する情報の記録及びＭＩＣ５に記録されている情報の読取が行われる。そして、上記機器側アンテナ１０３は端子を介して通信回路２００の変復調アンテナドライバー２０１と接続される。
【００４７】
また、操作デバイス部２０５はキー操作やリモコン操作などのユーザーの操作を受け付ける部分であり、ユーザーの操作を受け付けるとその情報を制御マイコン部２０３に伝える働きを有する。
【００４８】
キャラクター発生部２０６は、上記制御マイコン部２０３からの情報を文字出力してＬＣＤ表示パネル２０４上に表示させる働きを有する。
【００４９】
ＬＣＤ表示パネル２０４は制御マイコン部２０３で作成した状態のその他の情報を映像として表示する働きを有する。
【００５０】
上記したように、ＭＩＣ５は電池レスで構成されるため、カセット側アンテナ１６と機器側アンテナ１０３との間にはデータ伝送と電力伝送を賄うのに足る程度の電磁結合が必要であるとともに、カセット側アンテナ１６と機器側アンテナ１０３とをできるだけ近接させ、かつ、カセット側アンテナ１６の各線分パターン１４ｕ、１４ｄ、１４ｌ、１４ｒと機器側アンテナ１０３の各線分パターン１０２ｕ、１０２ｄ、１０２ｌ、１０２ｒとが位置精度良く対向するように配設する必要がある。
【００５１】
そのため、メモリー基板１２のカセットシェル２に対する組み付け向きが異なることにより、カセット側アンテナ１６の各線分パターン１４ｕ、１４ｄ、１４ｌ、１４ｒの位置が機器側アンテナ１０３の各線分パターン１０２ｕ、１０２ｄ、１０２ｌ、１０２ｒとずれてしまうと通信不能になってしまうことがあるが、上述のようなテープカセット１にあっては、メモリー基板１２の向きが異なっても、メモリー基板１２の各線分パターン１４ｕ、１４ｄ、１４ｌ、１４ｒとカセット側アンテナ１６の各線分パターン１０２ｕ、１０２ｄ、１０２ｌ、１０２ｒとの位置関係にずれが生じないので、このようなテープドライブ装置１００においてはきわめて有効である。
【００５２】
なお、上記第１の実施の形態にあっては、上側辺１２ｕと下側辺１２ｄとおよび左側辺１２ｌと右側辺１２ｒとの２対の側辺において上記間隔（最も外周側に位置する各線分パターン１４ｕ１、１４ｄ１、１４ｌ１、１４ｒ１とこれらに対応するメモリー基板１２の各側辺１２ｕ、１２ｄ、１２ｌ、１２ｒとの間の間隔ｄ）をほぼ同一にしたが、これに限らず、いずれか１対の側辺１２ｕ、１２ｄ又は１２ｌ、１２ｒにおいて上記間隔ｄをほぼ同一にしておけば、少なくとも、その１対の側辺１２ｕ、１２ｄ又は１２ｌ、１２ｒに対応する線分パターン同士が機器側アンテナ１０３のアンテナパターン１０２の線分パターン１０２ｕ、１０２ｄ、１０２ｌ、１０２ｒと対向させることができ、通信効率は劣化するものの、通信が全く不能になるようなことはない。
【００５３】
図９及び図１０は、別の本発明テープカセット（請求項２に記載したもの）の実施の形態（以下、「第２の実施の形態」という。）にかかるもので、上記第１の実施の形態にかかるテープカセット１と相違するのは、メモリー基板１２の形状であり、この第２の実施の形態にかかるテープカセット１Ａの用いられるメモリー基板２０はほぼ正方形に形成されている。
【００５４】
具体的には、正方形をしたメモリー基板２０には、上記第１の実施の形態にかかるメモリー基板１２と同様に、その内側面２０ｉおよび外側面２０ｏに、メモリー基板２０の外形に沿うほぼ正方形の渦巻き状のアンテナパターン２１がそれぞれ形成されているとともに、これら内側面２０ｉ及び外側面２０ｏのアンテナパターン２１がスルーホール２２を介して接続され、これにより、カセット側アンテナ２３が構成されており、該カセット側アンテナ２３がＭＩＣ５や電子部品１３、１３と接続されている。
【００５５】
そして、アンテナパターン２１の各線分パターン２１ｕ、２１ｄ、２１ｌ、２１ｒは、その幅寸法（ｗ）は一定であり、また、線分パターン間のピッチ（ｃ）も一定に形成されている。
【００５６】
また、各線分パターン２１ｕ、２１ｄ、２１ｌ、２１ｒのうち、最も外周側に位置する各線分パターン２１ｕ１、２１ｄ１、２１ｌ１、２１ｒ１とこれらに対応するメモリー基板２０の各側辺２０ｕ、２０ｄ、２０ｌ、２０ｒとの間の間隔（ｄ）は、同一面（内側面２０ｉ又は外側面２０ｏ）上においては同じに形成されている。
【００５７】
したがって、アンテナパターン２１の各線分パターン２１ｕ、２１ｄ、２１ｌ、２１ｒは、上下及び左右においてメモリー基板２０の中心Ｏに対して点対称の関係に形成されている。
【００５８】
しかして、このようなメモリー基板２０はその外形が正方形であるため、４側辺のうちいずれの側辺（上側辺２０ｕ、下側辺２０ｄ、左側辺２０ｌおよび右側辺２０ｒ）からでもカセットシェル２に嵌合することができ、しかも、各線分パターン２１ｕ、２１ｄ、２１ｌ、２１ｒが点対称の関係があるため、いずれの側辺（上側辺２０ｕ、下側辺２０ｄ、左側辺２０ｌおよび右側辺２０ｒ）から嵌合しても、各線分パターン２１ｕ、２１ｄ、２１ｌ、２１ｒの位置関係にずれが生ずることはなく、よって、４方向（上側辺２０ｕ、下側辺２０ｄ、左側辺２０ｌおよび右側辺２０ｒ）からの組み付けを可能とする。
【００５９】
したがって、メモリー基板２０のカセットシェル２に対する組み付けをさらに容易にすることができる。
【００６０】
なお、上記した実施の形態において示した各部の形状乃至構造は、何れも本発明を実施するに際して行う具体化のほんの一例を示したものに過ぎず、これらによって本発明の技術的範囲が限定的に解釈されるようなことがあってはならないものである。
【００６１】
【発明の効果】
以上に記載したところから明らかなように、本発明テープカセットは、カセットシェル内に、所定の情報が記録された又は記録されるメモリーチップが一の側面に実装されたメモリー基板を備えたテープカセットであって、該メモリー基板はほぼ矩形を呈するとともに、該メモリー基板の外形に沿うほぼ矩形の渦巻き状をした回路パターン（以下、「アンテナパターン」という。）が該メモリー基板の一の側面及び他の側面にそれぞれ１つ形成されており、該アンテナパターンの各線分パターンが、上下及び左右においてメモリー基板の中心線に対してほぼ線対称の関係に形成され、上記メモリー基板の一の角部には上記メモリー基板の一の側面及び他の側面の上記アンテナパターンを接続可能にするスルーホールが設けられ、上記スルーホールが設けられた角部にあるアンテナパターンの角部は上記スルーホールを避けるように内側に折り曲げられ、上記メモリー基板の面方向に対して直交する軸回り方向に１８０°回転した状態でも上記カセットシェルに２方向から組付可能にしたことを特徴とする。
【００６２】
したがって、本発明テープカセットにあっては、アンテナパターンの各線分パターンを、上下及び左右においてメモリー基板の中心線に対してほぼ線対称の関係に形成したため、２方向からの組付を可能とし、面方向に対して直交する軸回り方向に１８０°回転した状態で組み付けられても、装置側のアンテナパターンの各線分パターンと各別に対向させることができ、通信効率が劣化することはなく、よって、メモリー基板のカセットシェル内への取付作業性を良好にすることができる。特に、組み立て作業性が悪化する小型化のテープカセットの組み立てに貢献する。
【００６３】
また、別の本発明テープカセットは、カセットシェル内に、所定の情報が記録された又は記録されるメモリーチップが一の側面に実装されたメモリー基板を備えたテープカセットであって、該メモリー基板はほぼ正方形を呈するとともに、該メモリー基板の外形に沿うほぼ正方形の渦巻き状をした回路パターン（以下、「アンテナパターン」という。）が該メモリー基板の一の側面及び他の側面にそれぞれ１つ形成されており、該アンテナパターンの各線分パターンが、上下及び左右においてメモリー基板の中心に対してほぼ点対称の関係に形成され、上記メモリー基板の一の角部には上記メモリー基板の一の側面及び他の側面の上記アンテナパターンを接続可能にするスルーホールが設けられ、上記スルーホールが設けられた角部にあるアンテナパターンの角部は上記スルーホールを避けるように内側に折り曲げられ、上記メモリー基板の面方向に対して直交する軸回り方向に９０°回転した状態でも上記カセットシェルに４方向から組付可能にしたものである。
【００６４】
したがって、別の本発明テープカセットにあっては、アンテナパターンの各線分パターンを、上下及び左右においてメモリー基板の中心に対してほぼ点対称の関係に形成したため、４方向からの組付を可能とし、面方向に対して直交する軸回り方向に９０°回転した状態で組み付けられても、装置側のアンテナパターンの各線分パターンと各別に対向させることができ、通信効率が劣化することはなく、よって、メモリー基板のカセットシェル内への取付作業性をさらに良好にすることができる。特に、組み立て作業性が悪化する小型化のテープカセットの組み立てに貢献する。
【図面の簡単な説明】
【図１】図２乃至図５とともに、本発明テープカセットの第１の実施の形態を示すものであり、本図はリッドが閉塞位置にある状態を示す斜視図である。
【図２】リッドが開放位置にある状態を示す斜視図である。
【図３】リッドが閉塞位置にある状態を後方から見た斜視図である。
【図４】図５とともに、メモリー基板を拡大して示す図であり、本図は外側（後方）から見た図である。
【図５】内側（前方）から見た図である。
【図６】図７とともに、機器側のアンテナ基板を拡大して示す図であり、本図は外側（後方）から見た図である。
【図７】内側（前方）から見た図である。
【図８】通信回路を示すブロック図である。
【図９】図１０とともに、第２の実施の形態にかかるテープカセットのメモリー基板を拡大して示すものであり、本図は外側（後方）から見た図である。
【図１０】内側（前方）から見た図である。
【符号の説明】
１…テープカセット、２…カセットシェル、５…ＭＩＣ（メモリーチップ）、１２…メモリー基板、１４…アンテナパターン、１４l…線分パターン（左側）、１４r…線分パターン（右側）、１４u…線分パターン（上側）、１４d…線分パターン（下側）、１５…スルーホール、ＣＬh…メモリー基板の中心線、ＣＬv…メモリー基板の中心線、１Ａ…テープカセット、２０…メモリー基板、Ｏ…メモリー基板の中心、２１…アンテナパターン、２１l…線分パターン（左側）、２１r…線分パターン（右側）、２１u…線分パターン（上側）、２１d…線分パターン（下側）
【図１】
0003551951.tif 000002
【図２】
0003551951.tif 000003
【図３】
0003551951.tif 000004
【図４】
0003551951.tif 000005
【図５】
0003551951.tif 000006
【図６】
0003551951.tif 000007
【図７】
0003551951.tif 000008
【図８】
0003551951.tif 000009
【図９】
0003551951.tif 000010
【図１０】
0003551951.tif 000011